(57)【要約】【課題】ユニットの着脱を簡素な構成で判別する。【解決手段】ユニット２は、第１端子２１及び第２端子２２と、両端が第１端子２１及び第２端子２２に接続されたユニット抵抗２３とを備え、プリンタ本体１０１は、ジャムの発生有無に応じて抵抗値が変化するフォトトランジスタ１５２と、フォトトランジスタ１５２のコレクタに固定抵抗１６を介して所定電圧を付与する電圧源１３と、フォトトランジスタ１５２のエミッタに接続され、ユニット２の第１端子２１と接続される第３端子１１と、一方端が接地され、他方端がユニット２の第２端子２２と接続される第４端子１２と、フォトトランジスタ１５２のコレクタの電位ＶＭを検出する検出部１８１と、電位ＶＭに基づいて、ジャムの発生の有無及びユニット２の着脱を判定する判定部１８２とを備えている。【選択図】図３
2007256555.tif 000002
【特許請求の範囲】
【請求項１】
構成部品の一部が収納されたユニットと、このユニットを着脱自在に構成された本体装置とを有する画像形成装置であって、
前記ユニットは、
前記本体装置と接続される第１端子及び第２端子と、
両端が前記第１端子及び第２端子に接続され、所定の抵抗値を有する固定抵抗であるユニット抵抗と
を備え、
前記本体装置は、
装置の状態に応じて抵抗値が変化する状態検出センサと、
前記状態検出センサの一方端に固定抵抗を介して所定電圧を付与する電圧源と、
前記状態検出センサの他方端に接続され、前記ユニットの前記第１端子と接続される第３端子と、
一方端が接地され、他方端が前記ユニットの前記第２端子と接続される第４端子と、
前記状態検出センサの一方端の電位を検出する検出手段と、
前記検出手段により検出された電位に基づいて、前記装置の状態及び前記ユニットの着脱を判定する判定手段と
を備えることを特徴とする画像形成装置。
【請求項２】
前記第１端子は、前記ユニットの一方の端部に配設され、
前記第２端子は、前記ユニットの他方の端部に配設されていることを特徴とする請求項１に記載の画像形成装置。
【請求項３】
構成部品の一部が収納されたユニットと、このユニットを着脱自在に構成された本体装置とを有する画像形成装置であって、
前記ユニットは、
前記本体装置に接続される端子と、
一方端が前記端子と接続されると共に、他方端が接地され、所定の抵抗値を有する固定抵抗であるユニット抵抗と
を備え、
前記本体装置は、
装置の状態に応じて抵抗値が変化する状態検出センサと、
前記状態検出センサの一方端に固定抵抗を介して所定電圧を付与する電圧源と、
前記状態検出センサの他方端に接続され、前記ユニット側に配設された前記端子と接続される端子と、
前記状態検出センサの前記一方端の電位を検出する検出手段と、
前記検出手段により検出された電位に基づいて、前記装置の状態及び前記ユニットの着脱を判定する判定手段と
を備えることを特徴とする画像形成装置。
【請求項４】
前記ユニット抵抗は、前記ユニットを識別可能な抵抗値を有し、
前記判定手段は、前記検出手段により検出された電位に基づいて、前記ユニットを識別することを特徴とする請求項１〜請求項３のいずれかに記載の画像形成装置。
【請求項５】
前記状態検出センサは、ジャムを検出するフォトセンサであることを特徴とする請求項１〜請求項４のいずれかに記載の画像形成装置。
【請求項６】
前記ユニットは、定着ユニットであることを特徴とする請求項１〜請求項５のいずれかに記載の画像形成装置。
【発明の詳細な説明】
【技術分野】
【０００１】
本発明は、構成部品の一部が収納されたユニットと、このユニットを着脱自在に構成された本体装置とを有する画像形成装置に関するものである。特に、記録紙上に画像を形成する装置である複写機、プリンタ、ファクシミリ、インターネットファクシミリ、及び、これらの機能の内のいずれかの機能を有する複合機に関するものである。
【背景技術】
【０００２】
電子写真方式で記録紙上に画像を形成するプリンタ等の画像形成装置が知られている。このような画像形成装置において、定着装置、感光装置等の寿命は、画像形成本体装置の寿命に比して短いため、画像形成装置において、定着装置等は交換部品になっていることが多い。また、この定着装置等の交換を容易にするために、定着装置等はユニット化される傾向にある。これに関連して、ユニット化された定着装置（いわゆる定着ユニット）が交換される際に、定着装置の装着忘れ、装着ミス等を検出する種々の技術が開示されている。
【０００３】
例えば、搬送転写ベルトユニットの着脱に応じてオン、オフするリミットスイッチ等で構成された検出センサによって、搬送転写ベルトユニットの着脱を判定するプリンタが提案されている（特許文献１参照）。
【特許文献１】特開２００５−１４８３５８号公報
【発明の開示】
【発明が解決しようとする課題】
【０００４】
しかしながら、上記のプリンタでは、リミットスイッチ等で構成された検出センサを配設する必要があると共に、ユニットの着脱を判定するためにＣＰＵ（Ｃｅｎｔｒａｌ  Ｐｒｏｃｅｓｓｉｎｇ  Ｕｎｉｔ）等の制御部への入力点数が増加することになる。
【０００５】
本発明は、上記課題に鑑みてなされたものであって、ユニットの着脱を簡素な構成で判別することが可能な画像形成装置を提供することを目的としている。
【課題を解決するための手段】
【０００６】
上記目的を達成するために請求項１に記載の画像形成装置は、構成部品の一部が収納されたユニットと、このユニットを着脱自在に構成された本体装置とを有する画像形成装置であって、前記ユニットが、前記本体装置と接続される第１端子及び第２端子と、両端が前記第１端子及び第２端子に接続され、所定の抵抗値を有する固定抵抗であるユニット抵抗とを備え、前記本体装置が、装置の状態に応じて抵抗値が変化する状態検出センサと、前記状態検出センサの一方端に固定抵抗を介して所定電圧を付与する電圧源と、前記状態検出センサの他方端に接続され、前記ユニットの前記第１端子と接続される第３端子と、一方端が接地され、他方端が前記ユニットの前記第２端子と接続される第４端子と、前記状態検出センサの一方端の電位を検出する検出手段と、前記検出手段により検出された電位に基づいて、前記装置の状態及び前記ユニットの着脱を判定する判定手段とを備えることを特徴としている。
【０００７】
請求項２に記載の画像形成装置は、請求項１に記載の画像形成装置であって、前記第１端子が、前記ユニットの一方の端部に配設され、前記第２端子が、前記ユニットの他方の端部に配設されていることを特徴としている。
【０００８】
請求項３に記載の画像形成装置は、構成部品の一部が収納されたユニットと、このユニットを着脱自在に構成された本体装置とを有する画像形成装置であって、前記ユニットが、前記本体装置に接続される端子と、一方端が前記端子と接続されると共に、他方端が接地され、所定の抵抗値を有する固定抵抗であるユニット抵抗と備え、前記本体装置が、装置の状態に応じて抵抗値が変化する状態検出センサと、前記状態検出センサの一方端に固定抵抗を介して所定電圧を付与する電圧源と、前記状態検出センサの他方端に接続され、前記ユニット側に配設された前記端子と接続される端子と、前記状態検出センサの前記一方端の電位を検出する検出手段と、前記検出手段により検出された電位に基づいて、前記装置の状態及び前記ユニットの着脱を判定する判定手段とを備えることを特徴としている。
【０００９】
請求項４に記載の画像形成装置は、請求項１〜請求項３のいずれかに記載の画像形成装置であって、前記ユニット抵抗が、前記ユニットを識別可能な抵抗値を有し、前記判定手段が、前記検出手段により検出された電位に基づいて、前記ユニットを識別することを特徴としている。
【００１０】
請求項５に記載の画像形成装置は、請求項１〜請求項４のいずれかに記載の画像形成装置であって、前記状態検出センサが、ジャムを検出するフォトセンサであることを特徴としている。
【００１１】
請求項６に記載の画像形成装置は、請求項１〜請求項５のいずれかに記載の画像形成装置であって、前記ユニットが、定着ユニットであることを特徴としている。
【発明の効果】
【００１２】
請求項１に記載の画像形成装置によれば、固定抵抗、状態検出センサ、及びユニット抵抗が直列接続された回路に所定電圧が印加された状態で、状態検出センサの一方端の電位に基づいてユニットの着脱が判定されるため、簡素な構成でユニットの着脱を判定することができる。
【００１３】
すなわち、ユニットが装着されている場合には（＝第３端子及び第４端子がそれぞれユニットの第１端子及び第２端子と接続されている場合には）、固定抵抗、状態検出センサ、及びユニット抵抗が直列接続された回路に電圧源により印加される所定電圧に対応する電流が流れ、固定抵抗で電圧降下するため、この電圧降下の有無によってユニットの着脱を判定することができる。
【００１４】
また、ユニットが装着されている場合には（＝第３端子及び第４端子がそれぞれユニットの第１端子及び第２端子と接続されている場合には）、状態検出センサの抵抗値が装置の状態に応じて変化するため、固定抵抗、状態検出センサ、及びユニット抵抗が直列接続された回路に流れる電流値が変化し、固定抵抗での電圧降下量が変化するので、装置の状態を判定することができる。
【００１５】
請求項２に記載の画像形成装置によれば、第１端子がユニットの一方の端部に配設され、第２端子がユニットの他方の端部に配設されているため、ユニットが長尺である場合にも、確実の本体装置に装着することができる。
【００１６】
請求項３に記載の画像形成装置によれば、固定抵抗、状態検出センサ、及びユニット抵抗が直列接続された回路に所定電圧が印加された状態で、状態検出センサの一方端の電位に基づいてユニットの着脱が判定されるため、簡素な構成でユニットの着脱を判定することができる。
【００１７】
すなわち、ユニットが装着されている場合には（＝本体装置側の端子がユニット側の端子と接続されている場合には）、固定抵抗、状態検出センサ、及びユニット抵抗が直列接続された回路に電圧により印加される所定電圧に対応する電流が流れ、固定抵抗で電圧降下するため、この電圧降下の有無によってユニットの着脱を判定することができる。
【００１８】
また、ユニットが装着されている場合には（＝本体装置側の端子がユニット側の端子と接続されている場合には）、状態検出センサの抵抗値が装置の状態に応じて変化するため、固定抵抗、状態検出センサ、及びユニット抵抗が直列接続された回路に流れる電流値が変化し、固定抵抗での電圧降下量が変化するので、装置の状態を判定することができる。
【００１９】
請求項４に記載の画像形成装置によれば、ユニット抵抗がユニットを識別可能な抵抗値を有し、検出手段により検出された電位に基づいて、ユニットが識別されるため、簡素な構成でユニットの種類を識別することができる。
【００２０】
すなわち、予めユニット抵抗を、ユニットの種類に応じて識別可能な抵抗値に設定しておき、更に、各抵抗値に対応して検出手段により検出されるべき電位（基準電位という）を予め求めておき、検出手段により検出された電位が、どの基準電位に該当するかを判定することにより、ユニットの種類を識別することができるのである。
【００２１】
請求項５に記載の画像形成装置によれば、状態検出センサがジャムを検出するフォトセンサであるため、本体装置に複数個配設されているフォトセンサのＣＰＵ等の制御部への入力端子を用いてユニットの着脱を判定することができる。すなわち、本体装置に配設されているフォトセンサの個数分のユニットの着脱を判定することができる。
【００２２】
請求項６に記載の画像形成装置によれば、ユニットが定着ユニットであるため、着脱頻度の高い定着ユニットの着脱を簡素な構成で判定することができる。
【発明を実施するための最良の形態】
【００２３】
以下、本発明に係る画像形成装置の一例について図面を参照して説明する。図１は本発明に係る画像形成装置の概略構成の一例を示す模式図である。なお、ここでは、画像形成装置が、モノクロのプリンタである場合について説明するが、カラープリンタである形態でもよいし、トナーを転写することにより記録用紙上に画像を形成する他の画像形成装置（例えば、ファクシミリ、複写機等）である形態でもよい。図１に示すように、プリンタ１は、プリンタ本体１０１（本体装置に相当する）内に、操作表示部１０２、現像ユニット１０３、感光ユニット１０４、レーザ走査ユニット１０５、定着ユニット１０６及びフォトセンサ１５を備えている。また、プリンタ１は、適所に、図３を用いて後述する制御部（ＣＰＵ１８）を備えている。
【００２４】
操作表示部１０２（表示手段の一部に相当する）は、外部からの操作を受け付けると共に種々の情報を表示するものである。具体的には、操作表示部１０２は、例えば、ＬＣＤ（Ｌｉｑｕｉｄ  Ｃｒｙｓｔａｌ  Ｄｉｓｐｌａｙ）等からなり種々の操作情報、設定情報、ガイダンス情報等を表示する表示部と、種々の操作ボタン、ＬＣＤと一体に形成されたタッチパネル等からなり、ユーザからの操作を受け付ける操作部とを備えている。
【００２５】
現像ユニット１０３は、レーザ走査ユニット１０５からのレーザビーム等によって感光ドラムの表面に形成された、外部装置より入力された画像データに対応する静電潜像にトナーを付着させてトナー像を形成するものである。
【００２６】
感光ユニット１０４は、感光ドラムを備え、感光ドラムは、まず、その表面が帯電ローラによって略均一に帯電され、次に、現像ユニット１０３によって、原稿画像に対応する静電潜像にトナーが付着されてトナー像が形成され、更に、そのトナー像が転写ローラによって記録用紙上に転写されるものである。
【００２７】
定着ユニット１０６は、定着ローラを備え、感光ユニット１０４で記録紙上に転写されたトナー像を、記録紙上に定着させるものである。フォトセンサ１５（状態検出センサに相当する）は、透過型のフォトインタラプタ等からなり、定着ユニット１０６の下流側の記録紙の有無を検出することにより、ジャムを検出するものである。
【００２８】
図２は、各ユニットとプリンタ本体１０１との接続形態の一例を示す概念図である。現像ユニット１０３、感光ユニット１０４、レーザ走査ユニット１０５、定着ユニット１０６等のユニット２は、それぞれ、ユニット２の一方の端部に配設された第１端子２１と、ユニット２の他方の端部に配設された第２端子２２とを備えている。
【００２９】
一方、プリンタ本体１０１には、ユニット２の第１端子２１及び第２端子２２とそれぞれ接続される第３端子１１及び第４端子１２が配設されている。このように、ユニット２の第１端子２１及び第２端子２２が、ユニット２の長手方向の両端部に形成されているため、ユニット２が長尺である場合にも、確実にプリンタ本体１０１（第３端子１１及び第４端子１２）に装着することができる。
【００３０】
図３は、本発明の主要部の一例を示す回路図である。感光ユニット１０４、レーザ走査ユニット１０５、定着ユニット１０６等のユニット２は、図２を用いて説明したように、第１端子２１及び第２端子２２を備え、更に、図３に示すように、第１端子２１と第２端子２との間には、ユニット抵抗２３が介設されている。ここで、ユニット抵抗２３は、ユニット２を識別可能な抵抗値を有するものである。すなわち、ユニット２の種類毎に固有の抵抗値が設定されているものである。
【００３１】
プリンタ本体１０１は、図２を用いて説明したように、第３端子１１及び第４端子１２を備えている。第３端子１１は、接地されると共に、図１に示すフォトセンサ１５の投光側を構成する発光ダイオード１５１のカソード側に接続されている。発光ダイオード１５１のアノード側は、固定抵抗１４を介して電圧源１３（例えば、５．０Ｖ）に接続されている。図１に示すフォトセンサ１５の受光側を構成するフォトトランジスタ１５２は、そのエミッタが第４端子１２に接続され、コレクタが固定抵抗１６を介して電圧源１３に接続されている。また、フォトトランジスタ１５２の、エミッタ−コレクタ間には、並列に固定抵抗１７が接続されている。
【００３２】
また、フォトトランジスタ１５２のコレクタは、ＣＰＵ１８に接続され、コレクタの電位ＶＭがＣＰＵ１８に入力される。ＣＰＵ１８は、機能的に、検出部１８１と、判定部１８２とを備えている。ここでは、ＣＰＵ１８が、ＲＯＭ（Ｒｅａｄ  Ｏｎｌｙ  Ｍｅｍｏｒｙ）等に予め格納されたプログラムを読み出して実行することにより、検出部１８１、判定部１８２等の機能部として機能するものである。
【００３３】
検出部１８１（検出手段に相当する）は、ＣＰＵ１８に接続されたフォトトランジスタ１５２のコレクタの電位ＶＭを検出するものである。判定部１８２（判定手段に相当する）は、検出部１８１によって検出されたフォトトランジスタ１５２のコレクタの電位ＶＭに基づいて、ジャムの発生有無（装置の状態に相当する）、ユニット２の着脱及び装着されたユニット２の種類を判定するものである。
【００３４】
以下、図３を用いて、フォトトランジスタ１５２のコレクタの電位ＶＭが、ジャムの発生有無（装置の状態に相当する）及びユニット２の着脱によってどのように変化するかについて説明する。まず、ユニット２が装着されていない場合（または、１の端子のみが接続されている等の不完全に装着されている場合）には、固定抵抗１６には電流が流れないため、この抵抗での電圧降下はなく、フォトトランジスタ１５２のコレクタの電位ＶＭは、電圧源１３の電圧Ｖ０（＝５．０Ｖ）となる。
【００３５】
ユニット２が装着されている場合（＝第３端子１１及び第４端子１２がそれぞれユニット２の第１端子２１及び第２端子２２と接続されている場合には）には、固定抵抗１６、フォトトランジスタ１５２（または固定抵抗１７）及びユニット抵抗２３が直列接続された回路の両端に電圧源１３により所定の電圧（ここでは、５．０Ｖ）が印加され電流が流れ、その電流により固定抵抗１６において電圧降下が発生し、フォトトランジスタ１５２のコレクタの電位ＶＭは、電圧源１３の電圧Ｖ０（＝５．０Ｖ）未満の値となる。
【００３６】
具体的には、ユニット２が装着されていて、且つ、ジャムが発生していない場合には、電位ＶＭは、次の（１）式で与えられる。
電位ＶＭ＝｛（電源電圧Ｖ０−フォトトランジスタ１５２の両端電圧Ｖ１）
×（ユニット抵抗２３の抵抗値）
÷（固定抵抗１６の抵抗値+ユニット抵抗２３の抵抗値）｝
＋フォトトランジスタ１５２の両端電圧Ｖ１      （１）
ただし、便宜上、第３端子１１及び第４端子１２とユニット２の第１端子２１及び第２端子２２との接触抵抗は、固定抵抗１６及びユニット抵抗の抵抗値と比較して充分小さいと考えられるため略零としている。
【００３７】
また、ユニット２が装着されていて、且つ、ジャムが発生している場合には、電位ＶＭは、次の（２）式で与えられる。
電位ＶＭ＝電源電圧Ｖ０×
｛（固定抵抗１７の抵抗値＋ユニット抵抗２３の抵抗値）
÷（固定抵抗１６の抵抗値＋固定抵抗１７の抵抗値＋ユニット抵抗２３の抵抗値）｝
（２）
ただし、便宜上、第３端子１１及び第４端子１２とユニット２の第１端子２１及び第２端子２２との接触抵抗は、固定抵抗１６、固定抵抗１７及びユニット抵抗の抵抗値と比較して充分小さいと考えられるため、略零としている。
【００３８】
図４は、検出部１８１によって検出される電位ＶＭの一例を示す図表である。ここでは、固定抵抗１６の抵抗値及び固定抵抗１７の抵抗値が共に１０００Ωであり、ユニット抵抗２３の抵抗値が３３０Ωの場合（＝ユニット２が、２００Ｖ機用の定着ユニット１０６である場合：以下、「２００Ｖ機」という）と、ユニット抵抗２３の抵抗値が０Ωの場合（＝ユニット２が、１００Ｖ機用の定着ユニット１０６である場合：以下、「１００Ｖ機」という）について、電位ＶＭの値を示している。
【００３９】
図４に示すように、ユニット２が装着されていない場合には、上述のように、電位ＶＭは電源電圧Ｖ０と同一の５．０Ｖとなる（図４の左から２番目の欄）。また、ユニット２が装着されていて、且つ、ジャムが発生していない場合には、電位ＶＭは、上述の（１）式で与えられ、ユニット２が２００Ｖ機である場合には、電位ＶＭは、２．０Ｖとなり、ユニット２が１００Ｖ機である場合には、電位ＶＭは、１．０Ｖとなる（図４の左から３番目の欄）。
【００４０】
更に、ユニット２が装着されていて、且つ、ジャムが発生している場合には、電位ＶＭは、上述の（２）式で与えられ、ユニット２が２００Ｖ機である場合には、電位ＶＭは、２．９Ｖとなり、ユニット２が１００Ｖ機である場合には、電位ＶＭは、２．５Ｖとなる（図４の右端の欄）。このように、ユニット２の着脱、ジャムの発生有無及び装着されたユニット２の種類によって、電位ＶＭが決定するため、検出部１８１によって検出された電位ＶＭに基づいて、判定部１８２によって、ジャムの発生有無、ユニット２の着脱及び装着されたユニット２の種類を判定することができる。
【００４１】
このようにして、固定抵抗１６、フォトトランジスタ１５２（コレクタ−エミッタ）及びユニット抵抗２３が直列接続された回路に所定電圧が印加された状態で、フォトトランジスタ１５２のコレクタの電位ＶＭに基づいてユニット２の着脱が判定されるため、簡素な構成でユニット２の着脱を判定することができる。つまり、ユニット２の着脱を判定するために、ＣＰＵ１８への入力信号の数を増加させる必要はなく、且つ、専用の回路、センサ等を配設する必要もない。
【００４２】
すなわち、ユニット２が装着されている場合には（＝第３端子１１及び第４端子１２がそれぞれユニット２の第１端子２１及び第２端子２２と接続されている場合には）、固定抵抗１６、フォトトランジスタ１５２（コレクタ−エミッタ）及びユニット抵抗２３が直列接続された回路に電圧源１３により印加される所定電圧に対応する電流が流れ、固定抵抗１６で電圧降下するため、この電圧降下の有無によってユニット２の着脱を判定することができる。
【００４３】
また、ユニット２が装着されている場合には（＝第３端子１１及び第４端子１２がそれぞれユニット２の第１端子２１及び第２端子２２と接続されている場合には）、フォトトランジスタ１５２のコレクタ−エミッタ間の抵抗値がジャムの発生の有無に応じて変化するため、固定抵抗１６、フォトトランジスタ１５２（コレクタ−エミッタ）及びユニット抵抗２３が直列接続された回路に流れる電流値が変化し、固定抵抗１６での電圧降下量が変化するので、ジャムの発生の有無を判定することができる。
【００４４】
加えて、第１端子２１がユニット２の一方の端部に配設され、第２端子２２がユニット２の他方の端部に配設されているため、ユニット２が長尺である場合にも、確実のプリンタ本体１０１に装着することができる。
【００４５】
更に、ユニット抵抗２３がユニット２を識別可能な抵抗値を有し、検出部１８１により検出された電位ＶＭに基づいて、ユニット２が識別されるため、簡素な構成でユニット２の種類を識別することができる。つまり、ユニット２の種類を判定するために、ＣＰＵ１８への入力信号の数を増加させる必要はなく、且つ、専用の回路、センサ等を配設する必要もない。
【００４６】
また、状態検出センサがジャムを検出するフォトセンサ１５であるため、プリンタ本体１０１に複数個配設されているフォトセンサ１５のＣＰＵ１８等の制御部への入力端子を用いてユニット２の着脱を判定することができる。すなわち、プリンタ本体１０１に配設されているフォトセンサ１５の個数分のユニット２の着脱を判定することができる。
【００４７】
ここで、ユニット２が定着ユニット１０６である場合には、着脱頻度の高い定着ユニット１０６の着脱を簡素な構成で判定することができる。
【００４８】
なお、本発明は、以下の形態にも適用可能である。
（Ａ）本実施形態では、ユニット２とプリンタ本体１０１とが２つの端子で接続される場合について説明したが、１つの端子で接続される形態でもよい。この場合には、装置が簡略化される。ただし、この場合には、ユニット２のユニット抵抗２３の一端を接地する必要がある。
【００４９】
（Ｂ）本実施形態では、状態検出センサがフォトセンサ１５である場合について説明したが、その他のセンサである形態でもよい。例えば、状態検出センサが定着温度を検出する温度センサである形態でもよい。
【００５０】
（Ｃ）本実施形態では、状態検出センサが定着ユニット１０６の下流側に配設されたフォトセンサ１５である場合について説明したが、その他の位置に配設されたフォトセンサ１５である形態でもよい。
【００５１】
（Ｄ）本実施形態では、状態検出センサがジャムを検出するフォトセンサ１５である場合について説明したが、その他の用途（例えば、記録紙の搬送制御）に用いるフォトセンサ１５である形態でもよい。
【図面の簡単な説明】
【００５２】
【図１】は、本発明に係る画像形成装置の概略構成の一例を示す模式図である。
【図２】は、各ユニットとプリンタ本体との接続形態の一例を示す概念図である。
【図３】は、本発明の主要部の一例を示す回路図である。
【図４】は、検出部によって検出される電位の一例を示す図表である。
【符号の説明】
【００５３】
１    プリンタ
１０１    プリンタ本体（本体装置）
１１    第３端子
１２    第４端子
１３    電圧源
１４、１６、１７    固定抵抗
１５    フォトセンサ（状態検出センサ）
１５１    発光ダイオード
１５２    フォトトランジスタ
１８    ＣＰＵ
１８１    検出部（検出手段）
１８２    判定部（判定手段）
２    ユニット
２１    第１端子
２２    第２端子
２３    ユニット抵抗
【図１】
2007256555.tif 000003
【図２】
2007256555.tif 000004
【図３】
2007256555.tif 000005
【図４】
2007256555.tif 000006